(57)【特許請求の範囲】
【請求項１】
上枠部材、下枠部材、左枠部材および右枠部材を相互に連結することで枠状に構成され、開口前面側に前枠が開閉および着脱可能に組付けられるパチンコ遊技機の外枠において、
前記上枠部材と右枠部材の連結については、
上枠部材と右枠部材の少なくとも一方の枠部材の連結部位に、他方の枠部材の連結部位に対して面接触可能な延出部が形成されると共に、前記延出部および他方の枠部材の連結部位に、ボルト挿通孔が夫々整列する位置に穿設され、
前記ボルト挿通孔が整列する状態で前記延出部と他方の枠部材の連結部位とを内外方向で重ね合わせると共に、内側に位置する前記延出部または他方の枠部材の連結部位の内面に補強部材の当接面部を面接触させた状態で、前記ボルト挿通孔に外側から挿通したボルトを、該当接面部に螺設したネジ孔に螺挿することで、上枠部材と右枠部材とを連結するよう構成し、
合成樹脂製の前記下枠部材と右枠部材の連結については、
下枠部材と右枠部材の少なくとも一方の枠部材の連結部位に、他方の枠部材の連結部位に対して面接触可能な延出部が形成されると共に、前記延出部および他方の枠部材の連結部位に、ボルト挿通孔が夫々整列する位置に穿設され、
前記ボルト挿通孔が整列する状態で前記延出部と他方の枠部材の連結部位とを内外方向で重ね合わせると共に、内側に位置する前記延出部または他方の枠部材の連結部位の内面に補強部材の当接面部を面接触させた状態で、前記ボルト挿通孔に外側から挿通したボルトを、該当接面部に螺設したネジ孔に螺挿することで、下枠部材と右枠部材とを連結するよう構成し、
前記上枠部材と左枠部材の連結については、
上枠部材の左連結部位および左枠部材の上連結部位に、ボルト挿通孔が夫々穿設され、
Ｌ字状に形成された補強部材の水平な第１当接面部を上枠部材における左連結部位の内面に面接触させると共に、該補強部材の垂直な第２当接面部を左枠部材における上連結部位の内面に面接触させ、前記前枠の上部を開閉および着脱可能に支持する板金からＬ字状に形成された上連結部材の水平部を上枠部材における左連結部位の外面に面接触させると共に、該上連結部材の垂直部を左枠部材における上連結部位の外面に面接触させた状態で、上連結部材の水平部に穿設された通孔に外側から挿通したボルトを上枠部材における左連結部位のボルト挿通孔に挿通し、該ボルトを、前記補強部材の第１当接面部に螺設したネジ孔に螺挿すると共に、上連結部材の垂直部に穿設された通孔に外側から挿通したボルトを左枠部材における上連結部位のボルト挿通孔に挿通し、該ボルトを、前記補強部材の第２当接面部に螺設したネジ孔に螺挿することで、上枠部材と左枠部材とを連結するよう構成し、
前記下枠部材と左枠部材の連結については、
下枠部材に、左枠部材における下連結部位の内側に面接触する延出部としての左側板が形成されると共に、該左側板から外方に延出する左受部が形成され、
下枠部材に対して左枠部材は、前記左受部に左枠部材の下連結部位を載置すると共に、該下連結部位の内側を左側板に面接触させた状態で、下連結部位と左側板に夫々穿設されたボルト挿通孔が整列する位置に位置決めされ、
下枠部材に形成した設置部に設置されて前記上連結部材と協働して前記前枠の下部を開閉および着脱可能に支持する補強部材としての板金から形成された下連結部材の当接面部が左側板の内側に面接触するよう位置決めされ、
左枠部材の下連結部位および左側板に穿設された前記ボルト挿通孔に外側から挿通したボルトを、下連結部材の当接面部に螺設したネジ孔に螺挿することで、該下連結部材を介して下枠部材と左枠部材とを連結するよう構成した
ことを特徴とするパチンコ遊技機の外枠構造。
【請求項２】
合成樹脂製の前記右枠部材の上連結部位に、前記上枠部材の右連結部位が面接触するように載置される延出部が内側に延出するように形成されると共に、右枠部材と上枠部材とを連結する補強部材は、該補強部材に穿設した通孔に挿通した仮ネジを右枠部材に螺設した仮ネジ孔に螺挿することで当接面部が延出部の内側に面接触するように位置決めされる請求項１記載のパチンコ遊技機の外枠構造。
【請求項３】
合成樹脂製の前記右枠部材の上連結部位に、前記上枠部材の右連結部位が面接触するように載置される延出部が内側に延出するように形成されると共に、右枠部材と上枠部材とを連結する補強部材は、該補強部材に形成した係合孔に右枠部材の内面に突設したフック形状の係止部材を係合することで当接面部が延出部の内側に面接触するように位置決めされる請求項１記載のパチンコ遊技機の外枠構造。
【請求項４】
前記下枠部材に、右枠部材における下連結部位の内側に面接触する延出部としての右側板が形成されると共に、該右側板から外方に延出する右受部が形成され、下枠部材に対して右枠部材は、前記右受部に右枠部材の下連結部位を載置すると共に、該下連結部位の内側を右側板に面接触させた状態で位置決めされ、
位置決め孔を穿設した補強部材が、前記右側板の内面に形成した位置決め凹部に嵌合されると共に、該位置決め凹部に突設した位置決めボスが位置決め孔に嵌挿された状態で、該補強部材が右側板の内側に面接触するよう位置決めされ、
第１通孔を穿設した別の補強部材が、前記下枠部材に設けられた位置決め突部に突設した位置決めボスを第１通孔に嵌挿した状態で右側板の内側に面接触するよう位置決めされ、
右枠部材の下連結部位および右側板に穿設されたボルト挿通孔に外側から挿通したボルトを、対応する補強部材に螺設されたネジ孔または別の補強部材に螺設されたネジ孔に螺挿することで、右枠部材と下枠部材とを連結するよう構成し、
第１通孔を穿設した補強部材が、前記下枠部材に設けられた位置決め突部に突設した位置決めボスを第１通孔に嵌挿した状態で、該補強部材の当接面部を前記左側板の内側に面接触するよう位置決めされ、
左枠部材の下連結部位および左側板に穿設された前記ボルト挿通孔に外側から挿通したボルトを、左側板の内側に位置決めされた補強部材の当接面部に螺設したネジ孔に螺挿することで、該補強部材および前記下連結部材を介して下枠部材と左枠部材とを連結するよう構成した請求項１〜３の何れか一項に記載のパチンコ遊技機の外枠構造。
【請求項５】
前記下枠部材に、効果音出力装置が取付けられる収容ボックスを一体的に形成した請求項１〜４の何れか一項に記載のパチンコ遊技機の外枠構造。
【発明の詳細な説明】
【０００１】
【発明の属する技術分野】
この発明は、パチンコ遊技機の外枠構造に関し、更に詳細には、複数の枠部材から構成される外枠において、枠部材と枠部材とを補強部材を用いて強固に連結するようにしたパチンコ遊技機の外枠構造に関するものである。
【０００２】
【従来の技術】
パチンコ機やアレンジボール機等のパチンコ遊技機は、縦長の矩形枠状に形成された外枠に、各種の遊技構成部材用の搭載枠ともされる前枠が着脱および開閉可能に装着され、これにより遊技機本体が構成されている。この外枠は、上枠部材、左枠部材、右枠部材および下枠部材を相互に連結することで構成されており、その連結構造としては、▲１▼各端部を相互に当接した枠部材の内側および外側に、Ｌ字型の板金を各枠部材に跨って当接しておき、枠部材および板金に穿設した通孔にカシメピンを挿通して端部をカシメることで相互に連結固定する形態や、▲２▼前記通孔に挿通したボルトにナットを締付けることで連結固定する形態等がある。
【０００３】
【発明が解決しようとする課題】
近年では、前記前枠に搭載される機構セット盤に組付けられる制御基板等の構成部材の増加によって、遊技機全体の重量が増加する傾向にある。これに伴いそれを支持する外枠自体の補強が望まれているが、前述した如く、板金と枠部材とをカシメる形態では必要十分な固定強度を得ることが困難で、経時的にガタが発生するおそれがあった。また、ボルトとナットとで締着固定する形態では、ナットの締着部近傍に負荷が集中して負担が掛かり過ぎ、前記板金や枠部材が変形する等の問題を招くおそれがある。更に、複数箇所で締着固定する場合に、各箇所でのボルトに対するナットの締付け力に差が生じていると、締着力の強い部分に負荷が集中して前記の問題が発生し易くなるため、締付け作業に際して作業者は神経質にならざるを得ず、煩わしい作業となっていた。更にまた、複数のナットの締付け作業が煩雑で、しかも細かい部品の点数が多くなる難点も指摘される。
【０００４】
【発明の目的】
本発明は、前述した従来の技術に内在している前記課題に鑑み、これを好適に解決するべく提案されたものであって、枠部材同士の連結を容易にすると共に、連結強度を向上し得るパチンコ遊技機の外枠構造を提供することを目的とする。
【０００５】
【課題を解決するための手段】
前述した課題を克服し、所期の目的を好適に達成するため、本発明に係るパチンコ遊技機の外枠構造は、
上枠部材(10)、下枠部材(11)、左枠部材(12)および右枠部材(13)を相互に連結することで枠状に構成され、開口前面側に前枠が開閉および着脱可能に組付けられるパチンコ遊技機の外枠において、
前記上枠部材(10)と右枠部材(13)の連結については、
上枠部材(10)と右枠部材(13)の少なくとも一方の枠部材(10,13)の連結部位(10b,13a)に、他方の枠部材(13,10)の連結部位(13a,10b)に対して面接触可能な延出部(35)が形成されると共に、前記延出部(35)および他方の枠部材(13,10)の連結部位(13a,10b)に、ボルト挿通孔(36,26)が夫々整列する位置に穿設され、
前記ボルト挿通孔(36,26)が整列する状態で前記延出部(35)と他方の枠部材(13,10)の連結部位(13a,10b)とを内外方向で重ね合わせると共に、内側に位置する前記延出部(35)または他方の枠部材(13,10)の連結部位(13a,10b)の内面に補強部材(15)の当接面部(60)を面接触させた状態で、前記ボルト挿通孔(36,26)に外側から挿通したボルト(25)を、該当接面部(60)に螺設したネジ孔(60a)に螺挿することで、上枠部材(10)と右枠部材(13)とを連結するよう構成し、
合成樹脂製の前記下枠部材(11)と右枠部材(13)の連結については、
下枠部材(11)と右枠部材(13)の少なくとも一方の枠部材(11,13)の連結部位(11b,13b)に、他方の枠部材(13,11)の連結部位(13b,11b)に対して面接触可能な延出部(45)が形成されると共に、前記延出部(45)および他方の枠部材(13,11)の連結部位(13b,11b)に、ボルト挿通孔(40,47)が夫々整列する位置に穿設され、
前記ボルト挿通孔(40,47)が整列する状態で前記延出部(45)と他方の枠部材(13,11)の連結部位(13b,11b)とを内外方向で重ね合わせると共に、内側に位置する前記延出部(45)または他方の枠部材(13,11)の連結部位(13b,11b)の内面に補強部材(16,17)の当接面部(62)を面接触させた状態で、前記ボルト挿通孔(40,47)に外側から挿通したボルト(39)を、該当接面部(62)に螺設したネジ孔(16a,62a)に螺挿することで、下枠部材(11)と右枠部材(13)とを連結するよう構成し、
前記上枠部材(10)と左枠部材(12)の連結については、
上枠部材(10)の左連結部位(10a)および左枠部材(12)の上連結部位(12a)に、ボルト挿通孔(24,31)が夫々穿設され、
Ｌ字状に形成された補強部材(14)の水平な第１当接面部(56)を上枠部材(10)における左連結部位(10a)の内面に面接触させると共に、該補強部材(14)の垂直な第２当接面部(57)を左枠部材(12)における上連結部位(12a)の内面に面接触させ、前記前枠の上部を開閉および着脱可能に支持する板金からＬ字状に形成された上連結部材(18)の水平部(58)を上枠部材(10)における左連結部位(10a)の外面に面接触させると共に、該上連結部材(18)の垂直部(59)を左枠部材(12)における上連結部位(12a)の外面に面接触させた状態で、上連結部材(18)の水平部(58)に穿設された通孔(58a)に外側から挿通したボルト(23)を上枠部材(10)における左連結部位(10a)のボルト挿通孔(24)に挿通し、該ボルト(23)を、前記補強部材(14)の第１当接面部(56)に螺設したネジ孔(56a)に螺挿すると共に、上連結部材(18)の垂直部(59)に穿設された通孔(59a)に外側から挿通したボルト(30)を左枠部材(12)における上連結部位(12a)のボルト挿通孔(31)に挿通し、該ボルト(30)を、前記補強部材(14)の第２当接面部(57)に螺設したネジ孔(57a)に螺挿することで、上枠部材(10)と左枠部材(12)とを連結するよう構成し、
前記下枠部材(11)と左枠部材(12)の連結については、
下枠部材(11)に、左枠部材(12)における下連結部位(12b)の内側に面接触する延出部としての左側板(44)が形成されると共に、該左側板(44)から外方に延出する左受部(42a)が形成され、
下枠部材(11)に対して左枠部材(12)は、前記左受部(42a)に左枠部材(12)の下連結部位(12b)を載置すると共に、該下連結部位(12b)の内側を左側板(44)に面接触させた状態で、下連結部位(12b)と左側板(44)に夫々穿設されたボルト挿通孔(33,47)が整列する位置に位置決めされ、
下枠部材(11)に形成した設置部(43b)に設置されて前記上連結部材(18)と協働して前記前枠の下部を開閉および着脱可能に支持する補強部材としての板金から形成された下連結部材(19)の当接面部(19b)が左側板(44)の内側に面接触するよう位置決めされ、
左枠部材(12)の下連結部位(12b)および左側板(44)に穿設された前記ボルト挿通孔(33,47)に外側から挿通したボルト(32)を、下連結部材(19)の当接面部(19b)に螺設したネジ孔(19d)に螺挿することで、該下連結部材(19)を介して下枠部材(11)と左枠部材(12)とを連結するよう構成したことを特徴とする。
【０００６】
請求項２に係る発明では、合成樹脂製の前記右枠部材(13)の上連結部位(13a)に、前記上枠部材(10)の右連結部位(10b)が面接触するように載置される延出部(35)が内側に延出するように形成されると共に、右枠部材(13)と上枠部材(10)とを連結する補強部材(15)は、該補強部材(15)に穿設した通孔(61a)に挿通した仮ネジ(38)を右枠部材(13)に螺設した仮ネジ孔(37)に螺挿することで当接面部(60)が延出部(35)の内側に面接触するように位置決めされることを要旨とする。
請求項３に係る発明では、合成樹脂製の前記右枠部材(13)の上連結部位(13a)に、前記上枠部材(10)の右連結部位(10b)が面接触するように載置される延出部(35)が内側に延出するように形成されると共に、右枠部材(13)と上枠部材(10)とを連結する補強部材(15)は、該補強部材(15)に形成した係合孔(70)に右枠部材(13)の内面に突設したフック形状の係止部材(65)を係合することで当接面部(60)が延出部(35)の内側に面接触するように位置決めされることを要旨とする。
請求項４に係る発明では、前記下枠部材(11)に、右枠部材(13)における下連結部位(13b)の内側に面接触する延出部としての右側板(45)が形成されると共に、該右側板(45)から外方に延出する右受部(42b)が形成され、下枠部材(11)に対して右枠部材(13)は、前記右受部(42b)に右枠部材(13)の下連結部位(13b)を載置すると共に、該下連結部位(13b)の内側を右側板(45)に面接触させた状態で位置決めされ、
位置決め孔(16b)を穿設した補強部材(16)が、前記右側板(45)の内面に形成した位置決め凹部(46)に嵌合されると共に、該位置決め凹部(46)に突設した位置決めボス(48)が位置決め孔(16b)に嵌挿された状態で、該補強部材(16)が右側板(45)の内側に面接触するよう位置決めされ、
第１通孔(64a)を穿設した別の補強部材(17)が、前記下枠部材(11)に設けられた位置決め突部(49)に突設した位置決めボス(50)を第１通孔(64a)に嵌挿した状態で右側板(45)の内側に面接触するよう位置決めされ、
右枠部材(13)の下連結部位(13b)および右側板(45)に穿設されたボルト挿通孔(40,47)に外側から挿通したボルト(39)を、対応する補強部材(16)に螺設されたネジ孔(16a)または別の補強部材(17)に螺設されたネジ孔(62a)に螺挿することで、右枠部材(13)と下枠部材(11)とを連結するよう構成し、
第１通孔(64a)を穿設した補強部材(17)が、前記下枠部材(11)に設けられた位置決め突部(49)に突設した位置決めボス(50)を第１通孔(64a)に嵌挿した状態で、該補強部材(17)の当接面部(62)を前記左側板(44)の内側に面接触するよう位置決めされ、
左枠部材(12)の下連結部位(12b)および左側板(44)に穿設された前記ボルト挿通孔(33,47)に外側から挿通したボルト(32)を、左側板(44)の内側に位置決めされた補強部材(17)の当接面部(62)に螺設したネジ孔(62a)に螺挿することで、該補強部材(17)および前記下連結部材(19)を介して下枠部材(11)と左枠部材(12)とを連結するよう構成したことを要旨とする。
請求項５に係る発明では、前記下枠部材(11)に、効果音出力装置(53)が取付けられる収容ボックス(54)を一体的に形成したことを要旨とする。
【０００７】
【作用】
相互に連結される２つの枠部材は、該枠部材の連結部位に穿設されたボルト挿通孔に外側から挿通したボルトを、該枠部材の内面に当接面部が面接触する補強部材のネジ孔に螺挿することで連結される。すなわち、補強部材は枠部材に対して面接触するから、ボルトの締付け力が部分的に集中することはなく、略均等に分散されて安定した連結強度が得られる。また、補強部材自体にネジ孔が螺設されているから、ボルトの締付け作業が簡単で、しかも部品点数を低減することができる。
【０００８】
相互に連結される２つの枠部材の一方の枠部材に形成した延出部と、他方の枠部材の連結部位とを重ね合わせた状態で、両部に穿設されたボルト挿通孔に外側から挿通したボルトを、内側に位置する延出部または連結部位に当接面部が面触接する補強部材のネジ孔に螺挿することで、両枠部材は連結される。すなわち、この場合も前述したと同様に安定した連結強度が得られると共に、補強部材と連結部位または補強部材と延出部とで残る延出部または連結部位を挟んで連結し得るから、連結強度が更に向上する。なお、枠部材に補強部材の位置決め手段を設けることで、連結作業が更に簡単になる。
【０００９】
【発明の実施の形態】
次に、本発明に係るパチンコ遊技機の外枠構造につき、好適な実施例を挙げて、添付図面を参照しながら以下詳細に説明する。
【００１０】
図１は、実施例に係る外枠Ａを分解した状態で背面側から視たものであって、該外枠Ａは、上辺を構成する木製の上枠部材(枠部材)１０と、下辺を構成する合成樹脂製の下枠部材(枠部材)１１と、左辺を構成する木製の左枠部材(枠部材)１２および右辺を構成する合成樹脂製の右枠部材(枠部材)１３とから基本的に構成される。そして、上枠部材１０を左枠部材１２に第１の補強部材１４を介して連結固定すると共に、該上枠部材１０を右枠部材１３に第２の補強部材１５を介して連結固定し、更に下枠部材１１を右の枠部材１３に第３の補強部材１６および第４の補強部材１７を介して連結固定すると共に該下枠部材１１を左の枠部材１２に第４の補強部材１７および第５の補強部材１９を介して連結固定することで、当該外枠Ａは縦長矩形状の枠体として構成される(図２,図３参照)。そして、この外枠Ａの開口前面側に、各種の遊技構成部材用の搭載枠ともされる前枠(図示せず)が、後述する連結部材１８,１９および施錠手段２０を利用して開閉および着脱可能に組付けられるようになっている。なお、実施例で左右とは、外枠Ａを図２のように正面側から視た状態で指称するものである。
【００１１】
(上枠部材)
前記上枠部材１０は、図１〜図３に示すように、所要厚みの長尺な板材で構成され、その左側端部に設定される左連結部位(連結部位)１０ａの上面には、上連結部材１８の厚みと略同等分だけ凹む段部２１が所定長さに亘って形成されると共に、該左連結部位１０ａにおける端縁の前後方向の中央に、ほぞ溝２２が形成されている。また段部２１には、図７に示す如く、上第１ボルト(ボルト)２３の挿通を許容する複数(実施例では４つ)の上第１ボルト挿通孔(ボルト挿通孔)２４が、所定パターンで上下に貫通するよう穿設される。更に、上枠部材１０の右側端部に設定される右連結部位(連結部位)１０ｂには、図８に示す如く、上第２ボルト(ボルト)２５の挿通を許容する複数(実施例では３つ)の上第２ボルト挿通孔(ボルト挿通孔)２６が、所定パターンで上下に貫通するよう穿設されている。なお実施例では、上第１ボルト挿通孔２４が仮想四角形の各角部に位置するパターンで穿設され、また上第２ボルト挿通孔２６が仮想三角形の各角部に位置するパターンで穿設してある。また上第２ボルト挿通孔２６の上部には、上第２ボルト２５の頭部および該ボルト２５が挿通されるワッシャ２７を収容し得る大きさの大径凹部２６ａが形成され、該頭部が上枠部材１０から大きく突出しないよう構成される(図６参照)。
【００１２】
(左枠部材)
前記左枠部材１２は、図１〜図３に示す如く、前記上枠部材１０と同様に所要厚みの長尺な板材で構成されたものであって、上側端部に設定される上連結部位(連結部位)１２ａの外面には、図７に示す如く、前記上連結部材１８の厚みと略同等分だけ凹む段部２８が所定長さに亘って形成されると共に、該上連結部位１２ａにおける端縁の前後方向の中央に、前記上枠部材１０のほぞ溝２２に嵌合可能なほぞ２９が突設されており、該ほぞ溝２２にほぞ２９を嵌合することで上枠部材１０に左枠部材１２が直角に組付けられるよう構成される。また段部２８には、左第１ボルト(ボルト)３０の挿通を許容する複数(実施例では４つ)の左第１ボルト挿通孔(ボルト挿通孔)３１が、所定パターンで左右に貫通するよう穿設される。更に、左枠部材１２の下側端部に設定される下連結部位(連結部位)１２ｂには、左第２ボルト(ボルト)３２の挿通を許容する複数(実施例では６つ)の左第２ボルト挿通孔(ボルト挿通孔)３３が、所定パターンで左右に貫通するよう穿設されている。なお実施例では、左第１ボルト挿通孔３１が仮想四角形の各角部に位置するパターンで穿設され、また左第２ボルト挿通孔３３が仮想四角形の各角部および上側の角部が上方に平行移動した２箇所に位置するパターンで穿設してある(図１参照)。また左枠部材１２においても、左第２ボルト挿通孔３３の外部側には、左第２ボルト３２の頭部および該ボルト３２が挿通されるワッシャ３４を収容し得る深さの大径凹部３３ａが形成され、該頭部が左枠部材１２から大きく突出しないよう構成される。
【００１３】
(右枠部材)
前記右枠部材１３は、図１〜図３に示すように、前記左枠部材１２と略同一の長さ寸法に設定された所要厚みを有する合成樹脂製の板状部材であって、その上側端部に設定される上連結部位(連結部位１３ａには、前記外枠Ａの内側に向けて所定長さで水平に延出する延出部３５が一体に形成されており、前記上枠部材１０と右枠部材１３とを連結する際には、この延出部３５の上面を上枠部材１０における右連結部位１０ｂの下面に面接触した状態で上下(内外方向)に重ね合わされるよう構成される。この延出部３５には、図８に示す如く、前記上枠部材１０に穿設された各上第２ボルト挿通孔２６と整列可能な対応位置に、前記上第２ボルト２５の挿通を許容する右第１ボルト挿通孔(ボルト挿通孔)３６が上下に貫通するよう穿設してある。また延出部３５の下方に臨む右枠部材１３には、該右枠部材１３と上枠部材１０とを連結固定する前記第２の補強部材１５を仮止めする位置決め手段としての仮ネジ孔３７が左右方向に螺設されており、該補強部材１５の通孔６１ａ(後述)に挿通した仮ネジ３８を該仮ネジ孔３７に螺挿することで第２の補強部材１５が仮止めされるようになっている。
【００１４】
前記右枠部材１３の下側端部に設定される下連結部位(連結部位)１３ｂには、図５および図９に示す如く、右第１ボルト(ボルト)３９の挿通を許容する複数(実施例では６つ)の右第２ボルト挿通孔(ボルト挿通孔)４０が、前記左第２ボルト挿通孔３３と同一パターンで左右に貫通するよう穿設されている。また右第２ボルト挿通孔４０の外部側には、右第１ボルト３９の頭部および該ボルト３９が挿通されるワッシャ４１を収容し得る深さの大径凹部４０ａが形成され、該頭部が右枠部材１３から大きく突出しないよう構成される。なお、この右枠部材１３に、前記施錠装置２０が配設されるようになっている。
【００１５】
(下枠部材)
前記下枠部材１１は合成樹脂製であって、図１〜図３に示すように、前記上枠部材１０と略同一の長さ寸法に設定されて下面を構成する底板４２と、この底板４２の前端縁から所定高さで立上がって前面を構成する前板４３および底板４２の長手方向両端部に設定される左右の連結部位１１ａ,１１ｂから所定高さで立上がって側面を構成する延出部としての左右の側板４４,４５から、上方および後方に開放する箱枠状に形成されている。また底板４２には、両側板４４,４５から外方に延出する左右の受部４２ａ,４２ｂが一体に形成され、図６に示す如く、前記左右の枠部材１２,１３の下面が対応する左右の受部４２ａ,４２ｂ上に載置されるようになっている。そしてこの状態で、左右の側板４４,４５の外面が左右の枠部材１２,１３における下連結部位１２ｂ,１３ｂの内面に面接触した状態で左右(内外方向)に重ね合わされるよう構成される。なお、左右の側板４４,４５に設けられる連結構造は略対称であるので、右側板４５に設けられる連結構造について主に説明し、左側板４４側の連結構造の同一部材には同じ符号を付すと共に異なる部分のみ説明することとする。
【００１６】
図９に示す如く、右側板４５の上端部側における内面に、前記第３の補強部材１６を位置決め嵌合可能な位置決め凹部４６が形成されると共に、該凹部４６内には、前記右枠部材１３における上段の右第２ボルト挿通孔４０,４０と対応する前後方向に離間する位置に２つの下第１ボルト挿通孔(ボルト挿通孔)４７,４７が左右方向に貫通するよう穿設されている。また位置決め凹部４６内には、両下第１ボルト挿通孔４７,４７の中間位置に位置決めボス４８が内側に向けて突設され、該ボス４８が第３の補強部材１６の位置決め孔１６ｂ(後述)に嵌挿されるようになっている。すなわち、位置決め凹部４６および位置決めボス４８が、第３の補強部材１６の位置決め手段として機能するよう構成されている。更に、位置決め凹部４６より下方の右側板４５には、前記右枠部材１３における下段および中段の右第２ボルト挿通孔４０,４０と対応する位置にも、夫々下第１ボルト挿通孔４７が左右方向に貫通するよう穿設してある。
【００１７】
前記前板４３における左側板４４側の上面に、前記下連結部材１９の設置部４３ｂが形成され、該設置部４３ｂと左側板内面とによって、第５の補強部材としても機能する下連結部材１９が位置決めされるよう構成される。なお、左側板４４における設置部４３ｂより上方には、前記左枠部材１２における上段の左第２ボルト挿通孔３３,３３と対応する前後方向に離間する位置に２つの下第１ボルト挿通孔(ボルト挿通孔)４７,４７が左右方向に貫通するよう穿設してある。また設置部４３ｂには、下連結部材１９を下枠部材１３に固定するためのネジ孔４３ｃが上下方向に螺設されている。更に、設置部４３ｂより下方の左側板４４には、左枠部材１２における下段および中段の左第２ボルト挿通孔３３,３３と対応する位置にも、夫々下第１ボルト挿通孔４７が左右方向に貫通するよう穿設されている。
【００１８】
前記右側板４５に近接する前板４３には、下段および中段の下第１ボルト挿通孔４７,４７の間に臨む位置に、後方に向けて位置決め突部４９が突設され、該位置決め突部４９の突出端部には、上下に離間して一対の位置決めボス５０,５０が突設されている。そして、前記第４の補強部材１７の第１通孔６４ａ,６４ａ(後述)に対応する位置決めボス５０,５０が嵌挿されることで、該補強部材１７の右側板４５に対する位置決めがなされるよう構成してある。また位置決め突部４９における両位置決めボス５０,５０の間に臨む位置に仮ネジ孔５１が螺設されており、前記第４の補強部材１７の第２通孔６４ｂ(後述)に挿通した仮ネジ５２を該仮ネジ孔５１に螺挿することで、該補強部材１７を右側板４５に対して仮止めし得るようになっている。すなわち、位置決め突部４９に設けた位置決めボス５０および仮ネジ孔５１が、第４の補強部材１７の位置決め手段として機能するよう構成されている。なお、左側板４４に近接する前板４３にも、同じく位置決め突部４９が突設されて、該突部４９を介して第４の補強部材１７が仮止めされるようになっている。
【００１９】
前記前板４３の裏側には、パチンコゲーム中に発生される様々な遊技状態に応じて各種効果音を出力し得る効果音出力装置５３が配設される収容ボックス５４が一体的に形成されている。なお実施例では、前板４３の左右に離間する位置に一対の装着孔４３ａ,４３ａが形成され、各装着孔４３ａに対応して効果音出力装置５３が夫々配設されるようになっている。図１において符号５５は、収容ボックス５４に配設された効果音出力装置５３,５３の後側を被覆して、所謂エンクロージャー構造とするカバー体を示す。
【００２０】
(第１の補強部材)
前記上枠部材１０と左枠部材１２とを連結固定する第１の補強部材１４は、図６および図７に示す如く、板金をＬ字状に折曲形成して構成され、水平な第１当接面部(当接面部)５６と垂直な第２当接面部(当接面部)５７とを略直交する位置に備えている。第１当接面部５６には、上枠部材１０の前記上第１ボルト挿通孔２４の夫々と対応する位置に上ネジ孔(ネジ孔)５６ａが螺設されており、該第１当接面部５６の上面を上枠部材１０における左連結部位１０ａの下面に面接触した状態で、前記上連結部材１８の上通孔５８ａ(後述)および上枠部材１０の上第１ボルト挿通孔２４に挿通された上第１ボルト２３を上ネジ孔５６ａに螺挿することで、上枠部材１０に第１の補強部材１４がネジ止め固定されるようになっている。また第２当接面部５７には、左枠部材１２の前記左第１ボルト挿通孔３１の夫々と対応する位置に左ネジ孔(ネジ孔)５７ａが螺設されており、該第２当接面部５７の外面を左枠部材１２における上連結部位１２ａの内面に面接触した状態で、前記上連結部材１８の横通孔５９ａ(後述)および左枠部材１２の左第１ボルト挿通孔３１に挿通された左第１ボルト３０を左ネジ孔５７ａに螺挿することで、上枠部材１０と左枠部材１２とは第１の補強部材１４を介して連結固定される。
【００２１】
前記上連結部材１８は、前記下枠部材１１に配設される下連結部材１９と協働して前枠を開閉および着脱可能に支持するものであって、図７に示す如く、板金をＬ字状に折曲形成して構成され、その水平部５８および垂直部５９が、対応する枠部材１０,１２における段部２１,２８に面接触するよう位置決めされるようになっている(図６参照)。また、上連結部材１８の水平部５８に、上枠部材１０の前記上第１ボルト挿通孔２４の夫々と対応する位置に上通孔５８ａが穿設されると共に、垂直部５９に、左枠部材１２の左第１ボルト挿通孔３１の夫々と対応する位置に横通孔５９ａが穿設されている。
【００２２】
(第２の補強部材)
前記上枠部材１０と右枠部材１３とを連結固定する第２の補強部材１５は、図８に示す如く、板金を略Ｌ字状に折曲形成して構成され、そのコ字状に形成された水平な当接面部６０には、右枠部材１３の前記延出部３５に穿設された前記右第１ボルト挿通孔３６の夫々と対応する位置にネジ孔６０ａが螺設されている。すなわち、図６に示すように該当接面部６０の上面を延出部３５の下面に面接触した状態で、前記上枠部材１０の上第２ボルト挿通孔２６および右第１ボルト挿通孔３６に挿通された上第２ボルト２５をネジ孔６０ａに螺挿することで、上枠部材１０と右枠部材１３とが第２の補強部材１５を介して連結固定されるようになっている。なお、コ字状とされた当接面部６０における右枠部材１３を向く端部から垂下する平面クランク形状の取付部６１の適宜位置には、前記仮ネジ３８が挿通される通孔６１ａが左右に貫通するよう穿設されている。そして、該通孔６１ａに挿通した仮ネジ３８を、右枠部材１３の前記仮ネジ孔３７に螺挿することで、当該第２の補強部材１５は、当接面部６０の上面が延出部３５の下面に面接触すると共に、右第１ボルト挿通孔３６の夫々にネジ孔６０ａが整列する位置に仮止めされるよう構成してある。
【００２３】
(第３の補強部材)
前記下枠部材１１と右枠部材１３を連結固定する第３の補強部材１６は、図９に示す如く、平板状の板金部材からなり、前記右側板４５に形成した位置決め凹部４６に位置決め嵌合させた際に、前記下第１ボルト挿通孔４７,４７と対応する位置にネジ孔１６ａが夫々螺設されている。またこのとき、第３の補強部材１６の外面が右側板４５に面接触するようになっており、該補強部材１６においては外面全体が当接面部として機能する。そして、右枠部材１３における最上段の右第２ボルト挿通孔４０および下枠部材１１の下第１ボルト挿通孔４７に挿通した右第１ボルト３９をネジ孔１６ａに螺挿することで、下枠部材１１と右枠部材１３とが第３の補強部材１６を介して組付け固定されるよう構成される。なお、第３の補強部材１６には、前後方向の略中央位置に、右側板４５の位置決めボス４８が嵌挿される位置決め孔１６ｂが穿設されている。
【００２４】
(第４の補強部材)
前記下枠部材１１と左右の枠部材１２,１３を連結固定する第４の補強部材１７は、図９に示す如く、上下に離間する当接面部６２,６２と、両当接面部６２,６２を連結する連結部６３とから基本的に構成されており、各当接面部６２には、左右の側板４４,４５における下第１ボルト挿通孔４７,４７と対応する位置にネジ孔６２ａが夫々螺設されている。すなわち、左右の枠部材１２,１３の下段および中段における左右の第２ボルト挿通孔３３,４０および下枠部材１１の下第１ボルト挿通孔４７に挿通した左第２ボルト３２または右第１ボルト３９をネジ孔６２ａに螺挿することで、下枠部材１１と左右の枠部材１２,１３とが第４の補強部材１７を介して連結固定されるよう構成してある。
【００２５】
なお、前記連結部６３には、側板４４,４５から離間する内側に向けて直角に折曲された位置決め片６４が形成されており、該位置決め片６４に、前記下枠部材１１における前板４３に形成された前記位置決め突部４９の位置決めボス５０が嵌挿される第１通孔６４ａが上下に離間して穿設されている。また連結部６３における上下方向の略中央に前記仮ネジ５２が挿通される第２通孔６４ｂが穿設され、該第２通孔６４ｂに挿通した仮ネジ５２を、位置決め突部４９の前記仮ネジ孔５１に螺挿することで、当該第４の補強部材１７は、前記各当接面部６２の外面が側板４４,４５の内面に面接触すると共に、下第１ボルト挿通孔４７の夫々にネジ孔６２ａが整列する位置に仮止めされるよう構成される。
【００２６】
(第５の補強部材)
前記下枠部材１１と左枠部材１２を連結固定する第５の補強部材としても機能する前記下連結部材１９は、図１に示す如く、平板状の板金部材を逆Ｌ字状に折曲形成して構成され、その水平部１９ａには前記前板４３における設置部４３ｂのネジ孔４３ｃに対応する位置に挿通孔１９ｃが穿設されており、該挿通孔１９ｃに挿通したボルト７１を、ネジ孔４３ｃに螺挿することで、当該下連結部材１９が下枠部材１１に位置決め固定されるよう構成される。また、水平部１９ａを設置部４３ｂに載置した際に、下連結部材１９の垂直部１９ｂにおける前記下第１ボルト挿通孔４７,４７と対応する位置にネジ孔１９ｄが夫々螺設されている。このとき、下連結部材１９における垂直部１９ｂの外面が左側板４４に面接触するようになっており、該下連結部材１９においては垂直部１９ｂが当接面部として機能する。そして、左枠部材１２における最上段の左第２ボルト挿通孔３３および下枠部材１１の下第１ボルト挿通孔４７に挿通した左第２ボルト３２をネジ孔１９ｄに螺挿することで、下枠部材１１と左枠部材１２とが下連結部材１９を介して組付け固定されるよう構成される。
【００２７】
【実施例の作用】
このように構成された実施例に係るパチンコ遊技機の外枠構造の作用につき、各枠部材同士を連結する場合を個別に説明する。
【００２８】
(上枠部材と左枠部材との連結について)
前記上枠部材１０のほぞ溝２２に、左枠部材１２のほぞ２９を嵌合することで、両枠部材１０,１２を直角に組付ける。この状態で、上枠部材１０の段部２１および左枠部材１２の段部２８に、前記上連結部材１８の対応する水平部５８および垂直部５９を面接触するように位置決めする。また上枠部材１０の左連結部位１０ａの下面および左枠部材１２の上連結部位１２ａの内面に、図６に示す如く、前記第１の補強部材１４の対応する第１当接面部５６および第２当接面部５７を夫々面接触するように位置決めする。このとき、上連結部材１８における水平部５８の上通孔５８ａ、上枠部材１０の上第１ボルト挿通孔２４および第１の補強部材１４における第１当接面部５６の上ネジ孔５６ａが上下方向に整列すると共に、上連結部材１８における垂直部５９の横通孔５９ａ、左枠部材１２の左第１ボルト挿通孔３１および第１の補強部材１４における第２当接面部５７の左ネジ孔５７ａが左右方向に整列している。従って、上通孔５８ａおよび上第１ボルト挿通孔２４に外側(上側)から挿通した上第１ボルト２３を上ネジ孔５６ａに螺挿すると共に、横通孔５９ａおよび左第１ボルト挿通孔３１に外側(左側)から挿通した左第１ボルト３０を左ネジ孔５７ａに螺挿することで、両枠部材１０,１２の連結部位１０ａ,１２ａが上連結部材１８と第１の補強部材１４とで挟持された状態で連結固定される。
【００２９】
前記第１の補強部材１４にボルト２３,３０が螺挿されるネジ孔５６ａ,５７ａを直に螺設してあるから、ナットを不要として部品点数を低減し得る。しかも、第１の補強部材１４における両当接面部５６,５７は、対応する枠部材１０,１２に面接触しているから、ボルト２３,３０の締付け位置(ネジ孔５６ａ,５７ａ)の近傍にのみ負荷が加わることなく当接面の全体に力を均等に分散させることができ、これにより該補強部材１４や枠部材１０,１２を変形させることなく連結強度を向上することができる。また、１箇所のネジ孔５６ａ,５７ａに第１ボルト２３,３０を螺挿すれば、他のネジ孔５６ａ,５７ａは対応する通孔５８ａ,２４／５９ａ,３１に整列するから、各第１ボルト２３,３０を螺挿する毎に補強部材１４の位置調整を行なう必要はなく、作業の容易化が図られる。
【００３０】
(上枠部材と右枠部材との連結について)
前記上枠部材１０と右枠部材１３との連結に先立ち、該右枠部材１３における延出部３５の下側に、前記第２の補強部材１５の通孔６１ａに挿通した仮ネジ３８を仮ネジ孔３７に螺挿することで、該第２の補強部材１５を、その当接面部６０の上面が延出部３５の下面に面接触すると共に、右第１ボルト挿通孔３６の夫々にネジ孔６０ａが整列する位置に仮止めする。この状態で、上枠部材１０における右連結部位１０ｂの下面に、右枠部材１３における延出部３５の上面を面接触させる。このとき、上枠部材１０の上第２ボルト挿通孔２６と延出部３５の右第１ボルト挿通孔３６および第２の補強部材１５のネジ孔６０ａが上下方向に整列する。従って、上第２ボルト挿通孔２６および右第１ボルト挿通孔３６に外側(上側)から挿通した上第２ボルト２５をネジ孔６０ａに螺挿することで、両枠部材１０,１３の連結部位１０ｂ,１３ａが第２の補強部材１５で連結固定される。
【００３１】
この上枠部材１０と右枠部材１３とは、該右枠部材１３の延出部３５を上枠部材１０と第２の補強部材１５とで挟持した状態で連結固定されるから、その連結強度は向上する。また、第２の補強部材１５に上第２ボルト２５が螺挿されるネジ孔６０ａを直に螺設してあるから、ナットを不要として部品点数を低減し得る。しかも、第２の補強部材１５における当接面部６０は延出部３５に面接触しているから、上第２ボルト２５の締付け位置(ネジ孔６０ａ)の近傍にのみ負荷が加わることなく当接面の全体に力を均等に分散させることができ、これにより該補強部材１５や枠部材１０,１３に割れやひずみ等を生じさせることなく連結強度を向上することができる。また、第２の補強部材１５は右枠部材１３に予め位置決めされているから、連結作業に際して作業者は該補強部材１５を保持しながらボルト締めを行なう必要はなく、作業の容易化が図られる。
【００３２】
(下枠部材と右枠部材との連結について)
前記下枠部材１１と右枠部材１３との連結に先立ち、前記第３の補強部材１６を、その位置決め孔１６ｂに前記右側板４５の位置決め凹部４６に設けた位置決めボス４８が嵌挿されるように位置決め凹部４６に嵌合する。これにより、第３の補強部材１６は、その外面が右側板４５の内面に面接触すると共に、下第１ボルト挿通孔４７,４７にネジ孔１６ａ,１６ａが整列する位置に仮止される。また前記前板４３に形成された位置決め突部４９の位置決めボス５０,５０を、前記第４の補強部材１７の第１通孔６４ａ,６４ａに嵌挿すると共に、該補強部材１７の第２通孔６４ｂに挿通した仮ネジ５２を位置決め突部４９の仮ネジ孔５１に螺挿する。これにより、第４の補強部材１７は、前記当接面部６２,６２の外面が右側板４５の内面に面接触すると共に、下第１ボルト挿通孔４７,４７のネジ孔６２ａ,６２ａが整列する位置に仮止めされる。
【００３３】
前記右枠部材１３の下面を、下枠部材１１における前記右受部４２ｂに載置すると共に、該右枠部材１３における下連結部位１３ｂの内面を右側板４５の外面に面接触させる。このとき、右枠部材１３の右第２ボルト挿通孔４０と右側板４５の下第１ボルト挿通孔４７および第３の補強部材１６のネジ孔１６ａまたは第４の補強部材１７のネジ孔６２ａが左右方向に整列する。従って、右第２ボルト挿通孔４０および下第１ボルト挿通孔４７に外側(右側)から挿通した右第１ボルト３９を対応するネジ孔１６ａ,６２ａに螺挿することで、両枠部材１１,１３の連結部位１１ｂ,１３ｂが第３および第４の補強部材１６,１７で連結固定される。
【００３４】
この下枠部材１１と右枠部材１３とは、該下枠部材１１の右側板４５を右枠部材１３と第３および第４の補強部材１６,１７とで挟持した状態で連結固定されるから、その連結強度は向上する。また、第３および第４の補強部材１６,１７に右第１ボルト３９が螺挿されるネジ孔１６ａ,６２ａを直に螺設してあるから、ナットを不要として部品点数を低減し得る。しかも、第３および第４の補強部材１６,１７における外面や当接面部６２は右側板４５に面接触しているから、ボルト３９の締付け位置(ネジ孔１６ａ,６２ａ)の近傍にのみ負荷が加わることなく当接面の全体に力を均等に分散させることができ、これにより該補強部材１６,１７や枠部材１１,１３を変形させることなく連結強度を向上することができる。また、第３および第４の補強部材１６,１７は下枠部材１１に予め位置決めされているから、連結作業に際して作業者は該補強部材１６,１７を保持しながらボルト締めを行なう必要はなく、作業の容易化が図られる。
【００３５】
(下枠部材と左枠部材との連結について)
前記下枠部材１１と左枠部材１２との連結に先立ち、前記下連結部材１９を、その挿通孔１９ｃが前記前板４３における設置部４３ｂのネジ孔４３ｃと一致するように、前記水平部１９ａを該設置部４３ｂに載置する。これにより、下連結部材１９は、その垂直部１９ｂの外面が左側板４４の内面に面接触すると共に、下第１ボルト挿通孔４７,４７にネジ孔１９ｄ,１９ｄが整列する位置に固定される。また前記第４の補強部材１７を、前述したと同様に前板４３に形成された位置決め突部４９に仮止めする。
【００３６】
前記左枠部材１２の下面を、下枠部材１１における前記左受部４２ａに載置すると共に、該左枠部材１２における下連結部位１２ｂの内面を左側板４４の外面に面接触させる。このとき、左枠部材１２の左第２ボルト挿通孔３３と左側板４４の下第１ボルト挿通孔４７および下連結部材１９のネジ孔１９ｄまたは第４の補強部材１７のネジ孔６２ａが左右方向に整列する。従って、左第２ボルト挿通孔３３および下第１ボルト挿通孔４７に外側(左側)から挿通した左第２ボルト３２を対応するネジ孔１９ｄ,６２ａに螺挿することで、両枠部材１１,１２の連結部位１１ａ,１２ｂが下連結部材１９および第４の補強部材１７で連結固定される。
【００３７】
この下枠部材１１と左枠部材１２とは、該下枠部材１１の左側板４４を左枠部材１２と下連結部材１９および第４の補強部材１７で挟持した状態で連結固定されるから、その連結強度は向上する。また、下連結部材１９および第４の補強部材１７に左第２ボルト３２が螺挿されるネジ孔１９ｄ,６２ａを直に螺設してあるから、ナットを不要として部品点数を低減し得る。しかも、下連結部材１９および第４の補強部材１７における外面や当接面部６２は左側板４４に面接触しているから、ボルト３２の締付け位置(ネジ孔１９ｄ,６２ａ)の近傍にのみ負荷が加わることなく当接面の全体に力を均等に分散させることができ、これにより下連結部材１９や第４の補強部材１７あるいは枠部材１１,１２を変形させることなく連結強度を向上することができる。また、下連結部材１９および第４の補強部材１７は下枠部材１１に予め位置決めされているから、連結作業に際して作業者は下連結部材１９や補強部材１７を保持しながらボルト締めを行なう必要はなく、作業の容易化が図られる。
【００３８】
前述したように、各枠部材１０,１１,１２,１３同士の連結部の強度が個々に向上したことで、外枠Ａ自体の強度も向上し、重量のある前枠を組付けた際の必要充分な強度が確保される。
【００３９】
なお、実施例では外枠Ａを構成する下枠部材１１に、図１に示すように効果音出力装置５３が取付けられる収容ボックス５４を一体的に形成したので、該ボックス５４を別体で取付ける必要はなく、部品点数を低減し得ると共に組付け工数も低減することができる。ここで、前記効果音出力装置５３は、従来は前枠に取付けられていたため、外枠に対して前枠の重量のみが重くなっていたが、該出力装置５３を外枠Ａに配設することで、前枠の重量を軽減することが可能となった。
【００４０】
【別実施例】
図１０は、補強部材と枠部材とを仮止めするための位置決め手段の別実施例を示すものであって、該例では右枠部材１３と第２の補強部材１５との関係で説明するが、他の枠部材と補強部材に採用し得ることは勿論である。
【００４１】
図１０に示す如く、右枠部材１３における延出部３５より下方位置の内面に、前後方向に離間して一対のフック状の係止部材(位置決め手段)６５,６５が突設されている。各係止部材６５は、右枠部材１３の内面から所定高さで立上がる基部６６と、該基部６６の先端から下方に向けて右枠部材１３と平行に延在する所定長さの弾性変形可能な支持部６７と、該支持部６７の先端から右枠部材１３の内面側に突出する係止部６８とから構成されている。
【００４２】
これに対し、第２の補強部材１５は、コ字状に形成された当接面部６０の両開放端から下方に垂直する垂直部６９,６９に、略矩形状に係合孔７０が夫々形成されている。この係合孔７０は、前記係止部材６５の挿通を許容する開口寸法に設定され、また係合孔７０の下端縁部(当接面部６０から離間する側)から垂直部６９の開放端までの間に亘む嵌合部６９ａの長さが、係止部材６５における基部６６から係止部６８までの離間長さと略同等に設定されている。更に、嵌合部６９ａの厚みが、係止部材６５の支持部６７の内面と右枠部材１３の内面との離間長さと略同等に設定される。
【００４３】
すなわち、右枠部材１３に第２の補強部材１５を仮止めする際には、該補強部材１５の垂直部６９,６９を対応する係止部材６５,６５と対向した姿勢で、該係止部材６５,６５が前記係合孔７０,７０に挿入されるように第２の補強部材１５を右枠部材１３の内面に近接する。そして、第２の補強部材１５における垂直部６９,６９の外面が右枠部材１３の内面に当接した状態で、該補強部材１５を上方に引上げる。このとき、垂直部６９の嵌合部６９ａが係止部材６５の係止部６８に当接してこれを押上げつつ支持部６７と右枠部材１３との間に入り込み、該嵌合部６９ａから係止部６８が外れる位置に到来すると、係止部６８が支持部６７の弾性変形により元の状態に戻り、該係止部６８が嵌合部６９ａの開放端に係合することで、第２の補強部材１５は右枠部材１３に対して前述した実施例と同様の位置に仮止めされる。なお、係止部６８と嵌合部６９ａとの対向面に対応するテーパ面６８ａ,６９ｂを形成することで、係止部材６５に対する第２の補強部材１５の嵌め込みが容易となる。そして、このように構成した別実施例の位置決め手段では、仮止めするためのネジを必要としないので、部品点数を低減することができる。
【００４４】
【変更例】
実施例では、上枠部材と左枠部材を木製、右枠部材と下枠部材を合成樹脂製とした場合で説明したが、その材質は実施例のものに限定されるものでなく、木、合成樹脂または金属等を適宜に使用可能である。また枠部材に設けた延出部を、連結対象となる枠部材の内面に面接触させたが、該延出部を連結対象となる枠部材の外面に面接触させ、該延出部と補強部材とで枠部材を挟持した状態で連結固定する構成を採用し得る。更に、各枠部材の連結部で用いられるボルトの使用本数は実施例の数に限定されず、使用強度等に応じて適宜に選定し得るものである。
【００４５】
【発明の効果】
以上説明した如く、本願の請求項１に係るパチンコ遊技機の外枠構造によれば、枠部材同士を連結する補強部材にボルトが螺挿されるネジ孔を直に螺設したから、ナットを不要として部品点数を低減することができると共に、連結作業も容易となる。また補強部材における当接面部を、対応する枠部材に面接触させることで、ボルトの締付け位置の近傍にのみ負荷が加わることなく当接面の全体に力を均等に分散させることができ、これにより補強部材や枠部材を変形させることなく連結強度を向上し得る。更に、枠部材に設けた延出部を枠部材と補強部材、または枠部材を延出部と補強部材とで挟持した状態で連結固定するから、その連結強度は更に向上する。
【００４６】
請求項２,３,４に係る外枠構造では、枠部材に補強部材を、仮ネジと仮ネジ孔、係止部材と係合孔、位置決めボスと位置決め孔または位置決めボスと第１通孔を介して予め位置決めし得るから、連結作業に際して作業者は補強部材を保持しながらボルト締めを行なう必要はなく、作業の容易化が図られる。なお、請求項３に係る外枠構造のようにフック形状の係止部材と係合孔で位置決めすれば、仮止めするためのネジを必要としないので、部品点数を低減することができると共に、枠部材に対する補強部材の位置決め作業を簡単に行なうことができる。更に、請求項５に係る外枠構造では、収容ボックスを下枠部材に一体的に形成したから、該ボックスを別体で取付ける必要はなく、部品点数を低減し得ると共に組付け工数も低減する。
【図面の簡単な説明】
【図１】本発明の実施例に係る外枠を分解状態で背面側から示す概略斜視図である。
【図２】実施例に係る外枠の正面図である。
【図３】実施例に係る外枠の背面図である。
【図４】実施例に係る外枠の左側面図である。
【図５】実施例に係る外枠の右側面図である。
【図６】実施例に係る外枠の各枠部材の連結部を示す拡大背面図である。
【図７】実施例に係る上枠部材と左枠部材との連結部を分解して示す概略斜視図である。
【図８】実施例に係る上枠部材と右枠部材との連結部を分解して示す概略斜視図である。
【図９】実施例に係る下枠部材と右枠部材との連結部を分解して示す概略斜視図である。
【図１０】枠部材に対して補強部材を仮止めする位置決め手段の別実施例を示す概略斜視図である。
【符号の説明】
１０ 上枠部材(枠部材)，１０ａ 左連結部位(連結部位)
１０ｂ 右連結部位(連結部位)，１１ 下枠部材(枠部材)
１１ａ 左連結部位(連結部位)，１１ｂ 右連結部位(連結部位)
１２ 左枠部材(枠部材)，１２ａ 上連結部位(連結部位)
１２ｂ 下連結部位(連結部位)，１３ 右枠部材(枠部材)
１３ａ 上連結部位(連結部位)，１３ｂ 下連結部位(連結部位)
１４ 第１の補強部材，１５ 第２の補強部材，１６ 第３の補強部材
１６ａ ネジ孔，１６ｂ 位置決め孔，１７ 第４の補強部材
１８ 上連結部材，１９ 下連結部材(第５の補強部材)
１９ｂ 垂直部(当接面部)，１９ｄ ネジ孔，２３ 上第１ボルト(ボルト)
２４ 上第１ボルト挿通孔(ボルト挿通孔)，２５ 上第２ボルト(ボルト)
２６ 上第２ボルト挿通孔(ボルト挿通孔)，３０ 左第１ボルト(ボルト)
３１ 左第１ボルト挿通孔(ボルト挿通孔)，３２ 左第２ボルト(ボルト)
３３ 左第２ボルト挿通孔(ボルト挿通孔)，３５ 延出部
３６ 右第１ボルト挿通孔(ボルト挿通孔)，３７ 仮ネジ孔(位置決め手段)
３８ 仮ネジ，３９ 右第１ボルト(ボルト)
４０ 右第２ボルト挿通孔(ボルト挿通孔)，４２ａ 左受部，４２ｂ 右受部
４３ｂ 設置部，４４ 左側板(延出部)，４５ 右側板(延出部)
４６ 位置決め凹部(位置決め手段)
４７ 下第１ボルト挿通孔(ボルト挿通孔)
４８ 位置決めボス(位置決め手段)，４９ 突部
５０ 位置決めボス(位置決め手段)，５１ 仮ネジ孔(位置決め手段)
５３ 効果音出力装置，５４ 収容ボックス，５６ 第１当接面部(当接面部)
５６ａ 上ネジ孔(ネジ孔)，５７ 第２当接面部(当接面部)
５７ａ 左ネジ孔(ネジ孔)，５８ 水平部，５８ａ 通孔，５９ 垂直部
５９ａ 通孔，６０ 当接面部，６０ａ ネジ孔，６１ａ 通孔
６２ 当接面部，６２ａ ネジ孔，６４ａ 第１通孔
６５ 係止部材(位置決め手段)，７０ 係合孔
【図１】
0004003044.tif 000002
【図２】
0004003044.tif 000003
【図３】
0004003044.tif 000004
【図４】
0004003044.tif 000005
【図５】
0004003044.tif 000006
【図６】
0004003044.tif 000007
【図７】
0004003044.tif 000008
【図８】
0004003044.tif 000009
【図９】
0004003044.tif 000010
【図１０】
0004003044.tif 000011